(57)【要約】      （修正有）【課題】開襟状態において、左右の前立てによる美しいＶ字ラインを形成できるシャツを提供する。【解決手段】シャツ１００の左前立て部１０３は、表左前立て形成部、裏左前立て形成部、袋状部１０３５、及び、前立て用芯地形成部を有している。表左前立て形成部、及び、裏左前立て形成部を接合することによって形成される袋状部１０３５の内部に前立て用芯地形成部が配置される。前立て用芯地形成部は、左前身頃部１０１から連続して配置される。右前立て部１０４も同様である。これにより、前立て内に容易に芯地を配置し、ハリのある前立てを形成できるので、左右の前立てによって、開襟状態における美しいＶ字ラインを形成できる。【選択図】図６
0003223220.tif 000002
【実用新案登録請求の範囲】
【請求項１】
前身頃部に隣接して配置される前立て部を有するシャツにおいて、
前記前立て部は、
左右の前記前身頃部を閉じた状態で、襟部が接合される台襟部の上縁に沿って位置する上端縁、
を有すること、
を特徴とするシャツ。
【請求項２】
請求項１に係るシャツにおいて、
前記前立て部は、
芯地、
前記芯地を配置する袋状部、
前記袋状部を形成する前立て形成部、
を有すること、
を特徴とするシャツ。
【請求項３】
請求項２に係るシャツにおいて、
前記芯地は、
前記前身頃部の中央側の側縁から連続して配置されていること、
を特徴とするシャツ。
【請求項４】
請求項２、又は、請求項３に係るシャツにおいて、
前記前立て形成部は、
前記袋状部内に配置される折り曲げ部、
を有すること、
を特徴とするシャツ。
【請求項５】
請求項４に係るシャツにおいて、
前記前立て形成部は、
前記袋状部を形成する前記表前立て形成部、及び、前記裏前立て形成部、
を有し、
前記表前立て部、及び／又は、前記裏前立て部は、
前記折り曲げ部、
を有すること、
を特徴とするシャツ。
【請求項６】
請求項１〜請求項５のいずれかに係るシャツにおいて、
前記前立て部は、
前記シャツの上下方向に沿って、生地片が重複接合された接合部を有すること、
を特徴とするシャツ。
【請求項７】
請求項６に係るシャツにおいて、
前記接合部は、
前記前立て部の前記上端縁まで形成されていること、
を特徴とするシャツ。
【考案の詳細な説明】
【技術分野】
【０００１】
本考案は、シャツに関し、特に、開襟状態において、左右の前立てによる美しいＶ字ラインを形成するものに関する。
【背景技術】
【０００２】
従来のシャツについて、図１２に示すシャツを用いて説明する。図１２に示すように、上表襟２と、台襟５に上裏襟６が連設された地襟３とを重ね合わせて身頃１に取り付け、上表襟２の両端部に翼片４、４を形成し、翼片４を身頃１の前開き部裏面に重ね合わせる。台襟５の外周にネクタイを巻き付けることができ、また、襟元を開いても、台襟５は上表襟２の裏側に隠れ、翼片４、４が身頃１の前開き部裏面まで連続しているため、襟元に身頃１と上表襟２との境界が露出せず、良好な体裁が得られる。これにより、ネクタイを着用でき、かつ、襟元を開いても体裁がよいシャツを提供できる（以上、特許文献１参照）。
【先行技術文献】
【特許文献】
【０００３】
【特許文献１】特開平９−３２４３０１号公報
【考案の概要】
【考案が解決しようとする課題】
【０００４】
前述のシャツには、以下に示すような改善すべき点がある。図１３に示すように、シャツを開襟状態とした場合、翼片４、４が露出するため、良好な体裁が得られる。しかしながら、翼片４の背面には、台襟５が配置されているため、実際には、翼片４の裏側においては、台襟５と身頃１の境界において、折り目が形成されるため、襟のラインに屈曲が生じ、綺麗な襟のラインを形成できない、という改善すべき点がある。
【０００５】
また、前述のシャツでは、襟が体の表面に沿った、一般的な平面状の開襟状態を形成できるが、前立て部が体に対して立った状態で、台襟５と前立てとの間に継ぎ目が生じ、首回りに綺麗なＶ字ラインを形成できない、という改善すべき点がある。
【０００６】
そこで、本考案は、開襟状態において、左右の前立てによる美しいＶ字ラインを形成できるシャツを提供することを目的とする。
【考案の効果】
【０００７】
本考案における課題を解決するための手段及び考案の効果を以下に示す。
【０００８】
本考案に係るシャツは、前身頃部に隣接して配置される前立て部を有するシャツにおいて、前記前立て部は、左右の前記前身頃部を閉じた状態で、襟部が接合される台襟部の上縁に沿って位置する上端縁、を有すること、を特徴とする。
【０００９】
これにより、シャツの開襟状態において、前立て部の中央側の側縁によって形成されるラインが、途中で屈曲することなく、一連の曲線として形成される。したがって、開襟状態において、前立て部によって形成されるＶ字ラインを綺麗に形成できる。
【００１０】
本考案に係るシャツでは、前記前立て部は、芯地、前記芯地を配置する袋状部、前記袋状部を形成する前立て形成部、を有すること、を特徴とする。
【００１１】
これにより、芯地を容易に前立て部に配置し、ハリのある前立て部を形成し、開襟状態において、前立て部によって形成されるＶ字ラインを綺麗に形成できる。
【００１２】
本考案に係るシャツでは、前記芯地は、前記前身頃部の中央側の側縁から連続して配置されていること、を特徴とする。
【００１３】
これにより、芯地を容易に形成できるとともに、芯地を容易に前立て部に配置することができる。
【００１４】
本考案に係るシャツでは、前記前立て形成部は、前記袋状部内に配置される折り曲げ部、を有すること、を特徴とする。
【００１５】
これにより、芯地を容易に形成できるとともに、芯地を容易に前立て部に配置することができる。
【００１６】
本考案に係るシャツでは、前記前立て形成部は、前記袋状部を形成する前記表前立て形成部、及び、前記裏前立て形成部、を有し、前記表前立て部、及び／又は、前記裏前立て部は、前記折り曲げ部、を有すること、を特徴とする。
【００１７】
これにより、芯地を容易に形成できるとともに、芯地を容易に前立て部に配置することができる。
【００１８】
本考案に係るシャツでは、前記前立て部は、前記シャツの上下方向に沿って、生地片が重複接合された接合部を有すること、を特徴とする。
【００１９】
これにより、前立て部に上下方向に沿った張りを形成できる。このため、シャツの開襟状態において、前立て部の側縁によって形成されるラインが、屈曲することなく綺麗に形成される。
【００２０】
本考案に係るシャツでは、前記接合部は、前記前立て部の前記上端縁まで形成されていること、を特徴とする。
【００２１】
これにより、前立て部に上下方向に沿った張りを形成できる。このため、シャツの開襟状態において、前立て部の側縁によって形成されるラインが、屈曲することなく綺麗に形成される。
【図面の簡単な説明】
【００２２】
【図１】本考案に係るシャツの一実施例であるシャツ１００の正面図である。
【図２】シャツ１００の背面図である。
【図３】図１における左前立て部１０３のＸ−Ｘ断面を示す図である。
【図４】左前身頃部１０１、左前立て部１０３を形成する生地片を示す図である。
【図５】閉襟状態においてシャツ１００の襟部１０６を立てた状態を示す図である。
【図６】シャツ１００の開襟状態を示す図である。
【図７】閉襟状態においてシャツ１００の襟部１０６を剣先が下を向いた通常状態を示す図である。
【図８】本考案に係るシャツのその他の実施例であるポロシャツ２００の正面図である。
【図９】本考案に係るシャツのその他の実施例を示す図である。
【図１０】本考案に係るシャツのその他の実施例を示す図である。
【図１１】本考案に係るシャツのその他の実施例を示す図である。
【図１２】従来のシャツを示す図である。
【図１３】従来のシャツを示す図である。
【考案を実施するための形態】
【００２３】
以下、本考案の実施例について、図面を参照しながら詳細に説明していく。
【実施例１】
【００２４】
本考案に係るシャツの一実施形態であるシャツ１００について、図１を用いて説明する。図１はシャツ１００の正面図を、図２はシャツ１００の背面図を、それぞれを示している。
【００２５】
１．シャツ１００の構成
図１に示すように、シャツ１００は、左前身頃部１０１、右前身頃部１０２、左前立て部１０３、右前立て部１０４（図１に図示せず、図６参照）、台襟部１０５、襟部１０６、左袖部１０７、及び、右袖部１０８を有している。また、図２に示すように、シャツ１００は、後身頃部１０９を有している。なお、シャツ１００は、所定の形状に型取りされた生地片同士を縫い合わせる等、生地片同士を接合することによって形成される。
【００２６】
図１に示すように、左前身頃部１０１は、着用者の胴体左前側を覆う。同様に、右前身頃部１０２は、主に着用者の胴体右前側を覆う。
【００２７】
左前立て部１０３は、左前身頃部１０１の胴体中央側の端縁Ｌ１０１ｃに沿って、つまり、シャツ１００の上下方向に沿って位置している。右前立て部１０４についても、同様である。
【００２８】
また、左前立て部１０３には、ボタンホールが形成されている（図６参照）。一方、右前立て部１０４には、左前立て部１０３に形成されたボタンホールに対応する位置に、ボタンが取り付けられている（図６参照）。左前立て部１０３、右前立て部１０４の構造については、後述する。
【００２９】
台襟部１０５は、左前身頃部１０１、右前身頃部１０２、及び、後身頃部１０９が接合されることによって形成される円環状の上縁ＬＮ（図５参照）に沿って位置している。襟部１０６は、台襟部１０５の上縁Ｌ１０５ｕに沿って位置している。
【００３０】
左袖部１０７は、着用者の左腕を覆う。左袖部１０７は、左前身頃部１０１及び後身頃部１０９によって、着用者の胴体外側に形成される円環状の側縁（アームホール）に沿って位置している。右袖部１０８についても、同様である。
【００３１】
図２に示すように、後身頃部１０９は、着用者の胴体後側を覆う。後身頃部１０９は、左右側の端縁、及び、上側の端縁において、左前身頃部１０１、右前身頃部１０２と接続される。なお、後身頃部１０９は、着用者の胴体後ろ上側を覆うヨークを有している。
【００３２】
２．左前立て部１０３、右前立て部１０４の構成
左前立て部１０３、及び、右前立て部１０４の構成について、図３〜図７を用いて説明する。なお、図３は図１における左前立て部１０３のＸ−Ｘ断面を、図４は左前身頃部１０１、左前立て部１０３を形成する生地片を、図５は最上端までボタンを閉じた状態（以下、閉襟状態とする）においてシャツ１００の襟部１０６を立てた状態を、図６は第１、第２ボタンを開けた状態（以下、開襟状態とする）を、図７は閉襟状態においてシャツ１００の襟部１０６を剣先が下を向いた通常状態を、それぞれ示す。なお、図３においては、左前立て部１０３の構造を分かりやすくするために、生地片の厚み方向を強調して記述している。
【００３３】
図３に示すように、左前立て部１０３は、表左前立て部１０３１、裏左前立て部１０３３、袋状部１０３５、及び、前立て用芯地形成部１０３７を有している。表左前立て部１０３１と裏左前立て部１０３３とを接合することによって、袋状部１０３５が形成される。袋状部１０３５の内部には、前立て用芯地形成部１０３７が配置される。
【００３４】
左前立て部１０３の形成について、図４を用いて説明する。表左前立て形成部１０３１は、矩形状の表面部１０３１ｆ、及び、表面部１０３１ｆの中央側の側縁Ｌ１０３１ｃ、外側の側縁Ｌ１０３１ｓ、上側の側縁Ｌ１０３１ｕ、下側の側縁Ｌ１０３１ｄのそれぞれに沿って形成される矩形状の折り曲げ部１０３１ｃ、１０３１ｓ、１０３１ｕ、１０３１ｄを有している。折り曲げ部１０３１ｃ、１０３１ｓ、１０３１ｕ、１０３１ｄは、表面部１０３１ｆに対して、図中、山折りされる。同様に、裏左前立て形成部１０３３は、裏面部１０３３ｒ、及び、矩形状の折り曲げ部１０３３ｃ、１０３３ｓ、１０３３ｕ、１０３３ｄを有している。折り曲げ部１０３３ｃ、１０３３ｓ、１０３３ｕ、１０３３ｄは、裏面部１０３３ｒに対して、図中、谷折りされる。山折りされた折り曲げ部１０３１ｃと谷折りされた折り曲げ部１０３３ｃとが、同様に、折り曲げ部１０３１ｕと折り曲げ部１０３３ｕとが、折り曲げ部１０３１ｄと折り曲げ部１０３３ｄとが、それぞれ接合されることによって、袋状部１０３５が形成される。
【００３５】
前立て用芯地形成部１０３７は、矩形状を有している。前立て用芯地形成部１０３７は、左前身頃部１０１の中央側の側縁Ｌ１０１ｃから、左前身頃部１０１に連続して形成される。左前身頃部１０１と前立て用芯地形成部１０３７とは、一体の生地として形成される。
【００３６】
図３に戻って、前立て用芯地形成部１０３７は、袋状部１０３５内に挿入される。その後、表左前立て形成部１０３１、裏左前立て形成部１０３３、及び、前立て用芯地形成部１０３７が、互いに接合されることによって、左前立て部１０３が形成される。このように、左前身頃部１０１を形成する生地の一部を前立て用芯地形成部として用いることによって、容易に補強され、ハリを有する左前立て部１０３を形成することができる。
【００３７】
表左前立て形成部１０３１の中央側の折り曲げ部１０３１ｃ、及び、裏左前立て形成部１０３３の中央側の折り曲げ部１０３３ｃを接合することによって、中央側接合部１０３ａが形成される。また、表左前立て形成部１０３１の外側の折り曲げ部１０３１ｓ、及び、裏左前立て形成部１０３３の外側の折り曲げ部１０３３ｓを接合することによって、外側接合部１０３ｂが形成される。左前立て部１０３は、シャツ１００の上下方向に沿って、複数の生地片が重複縫合された中央側接合部１０３ａ、外側接合部１０３ｂを有しているため、シャツ１００の上下方向に沿ったハリが、容易に、形成できる。
【００３８】
図５に示すように、左前立て部１０３は、上端縁Ｌ１０３ｕが、台襟部１０５の上縁Ｌ１０５ｕに沿う位置に配置されるように、形成されている。
【００３９】
外側接合部１０３ｂは、左前身頃部１０１の中央側の側縁Ｌ１０１ｃに沿って、シャツ１００の上下方向に沿って形成される。中央側接合部１０３ａは、左前立て部１０３の中央側の側縁Ｌ１０３１ｃに沿って、外側接合部１０３ｂと平行に形成される。また、中央側接合部１０３ａ、及び、外側接合部１０３ｂは、左前立て部１０３の上端縁Ｌ１０３ｕに近い位置まで形成されている。
【００４０】
以上は、右前立て部１０４についても、同様である。
【００４１】
図６に示すように、左前立て部１０３を、台襟部１０５の上縁Ｌ１０５ｕまで形成することによって、開襟状態において、左前立て部が台襟部の下縁までしか形成されていない従来のシャツに比して、左前立て部１０３の中央側の側縁Ｌ１０３１ｃが、台襟部１０５の上縁Ｌ１０５ｕまで連続的に形成される。このため、シャツ１００の開襟状態において、左前立て部１０３の中央側の側縁Ｌ１０３１ｃによって形成されるラインが、途中で屈曲することなく、一連の曲線として形成される。このことは、右前立て部１０４についても同様である。したがって、開襟状態において、左前立て部１０３、及び、右前立て部１０４によって形成されるＶ字ラインが綺麗に形成される。
【００４２】
また、左前立て部１０３の袋状部１０３５の内部には、前立て用芯地形成部１０３７が配置されているため（図３参照）、左前立て部１０３は上下方向に沿ったハリを有している。左前立て部１０３の側縁Ｌ１０３１ｃによって形成されるラインが、屈曲することなく綺麗に形成される。右前立て部１０４についても同様である。
【００４３】
さらに、左前立て部１０３は、上下方向に沿った中央側接合部１０３ａ、外側接合部１０３ｂを有しているので、上下方向に沿ったハリを有している。このため、シャツ１００の開襟状態において、左前立て部１０３の側縁Ｌ１０３１ｃによって形成されるラインが、屈曲することなく綺麗に形成される。右前立て部１０４についても同様である。
【００４４】
図７に示すように、閉襟状態であっても、襟部１０６の右襟１０６Ｒと左襟１０６Ｌとの間には、空間ＲＮを形成できるため、右襟１０６Ｒと左襟１０６Ｌとの間に台襟部１０５が無くても、右襟１０６Ｒと左襟１０６Ｌとの間にネクタイを配置することができる。
【００４５】
［その他の実施形態］
（１）シャツ１００：前述の実施例１においては、シャツ１００は、左前身頃部１０１の下縁から台襟部１０５の上縁まで左前立て部１０３を、同様に、右前身頃部１０２の下縁から台襟部１０５の上縁まで右前立て部１０４を、有するとしたが、前立て部を有するものであれば、例示のものに限定されない。例えば、図８に示すように、前身頃部２０１の途中までに左前立て部２０３、右前立て部２０４を有するようなポロシャツ２００であってもよい。
【００４６】
また、シャツ１００においては、ヨークを有するとしたが、ヨークを有さないものであってもよい。
【００４７】
（２）左前立て部１０３、右前立て部１０４：前述の実施例１においては、左前立て部１０３は、左前身頃部１０１を形成する生地片と一体となった生地片を用いて形成されるとしたが、左前立て部１０３を形成できるものであれば、例示のものに限定されない。例えば、左前身頃部１０１と左前立て部１０３とを独立して形成し、両者を接合するようにしてもよい。右前立て部１０４についても、同様である。
【００４８】
（３）中央側接合部１０３ａ、外側接合部１０３ｂ：前述の実施例１においては、左前立て部１０３は中央側接合部１０３ａ、及び、外側接合部１０３ｂを有するとしたが、開襟状態において屈曲することなく、きれいなラインを左前立て部１０３に形成できるものであれば、外側接合部１０３ｂのみを形成するようにしてもよい。この場合、例えば、図４に示すように、表左前立て形成部１０３１の中央側の側縁Ｌ１０３１ｃと裏左前立て形成部１０３３の中央側の側縁Ｌ１０３３ｃとを接続し一体として、図９に示すように、表裏左前立て形成部３０３１を有する左前立て部３０３を用いるようにすればよい。
【００４９】
また、中央側接合部１０３ａを、左前身頃部１０１の下縁から台襟部１０５の上縁まで形成するとしたが、開襟状態において屈曲することなく、左前立て部１０３にきれいなラインを形成できるものであれば、左前立て部１０３の一部においてのみ、中央側接合部１０３ａを形成するようにしてもよい。外側接合部１０３ｂについても同様である。
【００５０】
さらに、以上については、右前立て部１０４についても同様である。
【００５１】
（４）前立て用芯地形成部１０３７：前述の実施例１においては、左前立て部１０３は、芯地として前立て用芯地形成部１０３７のみを有するとしたが、図１０に示す左前立て部４０３の表左前立て形成部４０３１のように、中央側の側縁Ｌ１０３１ｃに沿って形成される折り曲げ部４０３１ｃを図４に示す折り曲げ部１０３１ｃよりも幅広に形成し、図１１に示すように、折り曲げた折り曲げ部４０３１ｃを芯地として機能させるようにしてもよい。右前立て部４０４についても同様である。この場合、前立て用芯地形成部１０３７、折り曲げ部４０３１ｃ、折り曲げ部４０３３ｃによって芯地が形成される。
【００５２】
また、開襟状態において屈曲することなく、左前立て部１０３にきれいなラインを形成できるものであれば、前立て用芯地１０３７を配置せずともよい。
【符号の説明】
【００５３】
１００      シャツ
１０１      左前身頃部
１０２      右前身頃部
１０３      左前立て部
１０３１      表左前立て形成部
１０３３      裏左前立て形成部
１０３５      袋状部
１０３７      前立て用芯地形成部
１０３ａ      中央側接合部
１０３ｂ      外側接合部
１０４      右前立て部
１０５      台襟部
１０６      襟部
１０７      左袖部
１０８      右袖部
１０９      後身頃部
２００      シャツ
２０１      前身頃部
２０３      左前立て部
２０４      右前立て部
２０５      台襟部
２０６      襟部
２０７      左袖部
２０８      右袖部
３０３      左前立て部
３０３１      表左前立て形成部
３０３３      裏左前立て形成部
４０３      左前立て部
４０３１      表左前立て形成部
４０３３      裏左前立て形成部
【図１】
0003223220.tif 000003
【図２】
0003223220.tif 000004
【図３】
0003223220.tif 000005
【図４】
0003223220.tif 000006
【図５】
0003223220.tif 000007
【図６】
0003223220.tif 000008
【図７】
0003223220.tif 000009
【図８】
0003223220.tif 000010
【図９】
0003223220.tif 000011
【図１０】
0003223220.tif 000012
【図１１】
0003223220.tif 000013
【図１２】
0003223220.tif 000014
【図１３】
0003223220.tif 000015